(57)【要約】  本発明は床システム（１０）のための部分構造ユニット（１）に関し、前記部分構造ユニット（１）は、平行に配置されたパネル（３）の第一の組（２）を備え、該第一の組（２）は、平行に配置されたパネル（３）の第二の組（４）の下に固定されており、パネル（３）の前記第一の組と第二の組（２、４）は十字交差するように配置されることで対角の格子を形成し、前記第一の組と第二の組（２、４）のパネル（３）は、前記格子から外側に向かって延びる斜角の切断端部（５、６）を有することで、少なくとも二個の部分構造ユニット（１）を相互に連結する連結手段を形成している。
2013526662.tif 000002
【特許請求の範囲】
【請求項１】
床システム（１０）のための部分構造ユニット（１）であって、前記部分構造ユニット（１）は、平行に配置されたパネル（３）の第一の組（２）を備え、該第一の組（２）は、平行に配置されたパネル（３）の第二の組（４）の下に固定されており、パネル（３）の前記第一の組と第二の組（２、４）は十字交差するように配置されることで、対角の格子を形成し、前記第一の組と第二の組（２、４）の前記パネル（３）は、前記格子から外側に向かって延びる斜角の切断端部（５、６）を有することで、少なくとも二個の部分構造ユニット（１）を相互に連結する連結手段を形成していることを特徴とする、床システム（１０）のための部分構造ユニット（１）。
【請求項２】
前記第一の組（２）の前記パネル（３）は、前記第二の組（４）の前記パネル（３）に対して、約４５度の角度をもって配置されていることを特徴とする請求項１に記載の部分構造ユニット（１）。
【請求項３】
前記パネル（３）の前記斜角の切断端部（５、６）は約４５度の角度であることを特徴とする請求項１又は２に記載の部分構造ユニット（１）。
【請求項４】
前記パネル（３）は木製であることを特徴とする請求項１乃至３のいずれかに記載の部分構造ユニット（１）。
【請求項５】
前記第一の組（２）の前記パネル（３）は、前記第二の組（４）の前記パネル（３）に対し、ねじによって固定されていることを特徴とする請求項１乃至４のいずれかに記載の部分構造ユニット（１）。
【請求項６】
前記第一の組（２）の二枚のパネル（３）の間の間隙は、前記第二の組（４）の二枚のパネル（３）の間の間隙よりも広いことを特徴とする請求項１乃至５のいずれかに記載の部分構造ユニット（１）。
【請求項７】
前記部分構造ユニット（１）はさらに、第一の組（２）のパネル（３）の下に備えられた弾性手段を備えていることを特徴とする請求項１乃至６のいずれかに記載の部分構造ユニット（１）。
【請求項８】
前記部分構造ユニット（１）は、プレハブ部分構造ユニット（１）であることを特徴とする請求項１乃至７のいずれかに記載の部分構造ユニット（１）。
【請求項９】
請求項１乃至８のいずれかに記載の少なくとも一個の部分構造ユニット（１）及び仕上げ床（９）を備える床システム（１０）。
【請求項１０】
前記仕上げ床（９）は、少なくとも一個の部分構造ユニット（１）の上に置かれた複数の床材を備え、該床材は平行パターンで互いに固定されており、前記部分構造ユニット（１）の梯子形状によって形成された四角形の軸の一つに対して平行になるように配置されていることを特徴とする請求項９に記載の床システム（１０）。
【請求項１１】
前記床システムは、スポーツ用床であることを特徴とする請求項９又は１０に記載の床システム（１０）。
【請求項１２】
床システム（１０）を施工する方法であって、前記方法は、
請求項１乃至８のいずれかに記載の少なくとも一個の部分構造ユニット（１）を準備する工程、
覆うべき表面に、防湿性能をもつ少なくとも一層の遮断層（８）を配置する工程、
前記遮断層（８）の上に少なくとも一個の部分構造ユニット（１）を配置する工程、
前記少なくとも一個の部分構造ユニット（１）の上に、仕上げ床（９）の少なくとも一枚の床材を配置する工程を備えることを特徴とする、床システム（１０）を施工する方法。
【請求項１３】
前記部分構造ユニット（１）は、前記床システム（１０）を施工する場所からの遠隔地において組み立てられたプレハブの部分構造ユニット（１）であることを特徴とする請求項１２に記載の方法。
【請求項１４】
前記方法はさらに、前記部分構造ユニット（１）の前記第一の組（２）の前記パネル（３）の下に、弾性手段を組み込む工程を備えることを特徴とする請求項１３に記載の方法。
【請求項１５】
前記方法はさらに、少なくとも一個の部分構造ユニット（１）を配置する前に、覆うべき表面又は前記遮断層（８）の上に、荷重低減緩衝バリアを配置する工程を備えることを特徴とする請求項１２乃至１４のいずれかに記載の方法。
【発明の詳細な説明】
【技術分野】
【０００１】
本発明は、仕上げ床を支持するための部分構造ユニットと、該部分構造ユニットを備える床システムとに関する。
【背景技術】
【０００２】
一般的に、床下地を合成材料又は木製の嵌め込み床によって覆うことで、より美しく、より快適な床面が備わることがよく知られている。
【０００３】
スポーツ用途や、その他の室内レクリエーション用には、床は適切な特性、例えば、反発性、衝撃吸収性、及び／又は安定性といった特性を備えている必要がある。
【０００４】
通常、木製の床システムは、部分構造と、該部分構造の上に配置され、これにより支持される仕上げ床とを備える。
【０００５】
例えば、特許文献１には、パネルと、このパネルの上に備えられた圧縮性最上層とを備えた長方形の床下張りを含む体操用の床が開示されている。この長方形の床下張りのパネルは斜めに配置されている。さらに、最上層は、パネルと鋭角を成す弾性最上層の帯で、平行する方向に置かれた床下張りの上に、帯状に配置されている。
【０００６】
特許文献２には、床下張りが、第一及び第二の木製床下張りで構成されている運動用床システムが開示されており、第一の床下張りは第二の床下張りに比べ非連続的かつ弾性を持ち、また第一及び第二の床下張りの板は、角度５０度で互いに交差している。この床下張りは、パッドと及び床下張りに配置された間隙量と、協働して作用して、この床システムに弾性特性を付与している。
【０００７】
多くの欠点のうち、これら既知の木製の床の部分構造は現場で組み立てるため、人件費が増加し、施工の複雑性が増すといった欠点がある。
【０００８】
特許文献３には、固定された運動競技用床の床下張りの組み立てに用いる、梯子形の部分組立品が開示されている。釘打ち用長帯材は梯子形状の長部材を形成し、この長部材の下に取り付けられた、これより短い固定用横帯材は梯子形状の横木部材を形成しており、この固定用横帯材はその下面に弾性パッドが取り付けられている。この解決手法には、寸法安定性に乏しいという欠点がある。
【先行技術文献】
【特許文献】
【０００９】
【特許文献１】欧州特許出願公開第１６１１９３０号
【特許文献２】米国特許第５２９９４０１号明細書
【特許文献３】米国特許出願公開第２００２／１８９１８４号
【００１０】
本発明は、以上の先行技術の欠点を持たない、部分構造ユニット及び該部分構造ユニットを含む木製床システムを提供することを目的とする。
【００１１】
本発明は、従来の部分構造及びシステムの代わりとなる、部分構造ユニット及び木製床システムを提供することを目的とする。
【００１２】
本発明は、取り扱い及び施工が容易にでき、施工管理が良好な、部分構造ユニット及び木製床システムを提供することを目的とする。
【００１３】
本発明は、製造コストを低減した、部分構造ユニット及び木製床システムを提供することを目的とする。
【００１４】
本発明は、強化された安定性と、音響低減性を備え、軽量である、部分構造ユニット及び木製床システムを提供することを目的とする。
【発明の概要】
【課題を解決するための手段】
【００１５】
本発明は、床システムのための部分構造ユニットに関し、前記部分構造ユニットは、平行に配置されたパネルの第一の組を備え、該第一の組は、平行に配置されたパネルの第二の組の下に固定されており、パネルの前記第一の組と第二の組は十字交差するように配置されることで対角の格子を形成し、前記第一の組と第二の組の前記パネルは、前記格子から外側に向かって延びる斜角の切断端部を有することで、少なくとも二個の部分構造ユニットを相互に連結する連結手段を形成している。
【００１６】
特定の実施形態によると、前記部分構造ユニットは下記の特徴のうちいずれか一つ又は組合せを備えることができる。
−前記第一の組のパネルは前記第二の組のパネルに対して、約４５度の角度をもって配置されていること、
−前記パネルの斜角の切断端部は約４５度の角度であること、
−前記パネルは木製であること、
−前記第一の組のパネルは、前記第二の組のパネルに対し、ねじによって固定されていること、
−前記第一の組の二枚のパネルの間の間隙は、前記第二の組の二枚のパネルの間の間隙よりも広いこと、
−前記部分構造ユニットは、第一のパネルの組のパネルの下に備えられた弾性手段を備えていること、及び
−前記部分構造ユニットは、プレハブ部分構造ユニットであること。
【００１７】
本発明はまた、上記発明による少なくとも一個の部分構造ユニットを含む床システム及び仕上げ床に関する。
【００１８】
特定の実施形態によると、前記床システムは下記の特徴のうちいずれか一つ又は組合せを備えることができる。
−前記仕上げ床は、少なくとも一個の部分構造ユニットの上に置かれた複数の床材を備え、該床材は平行パターンで互いに固定されており、プレハブ部分構造ユニットの梯子形状によって形成された四角形の軸の一つに対して平行になるように配置されていること、及び
−前記床システムはスポーツ用床であること。
【００１９】
本発明はまた、床システムを施工する方法に関し、前記方法は、上記発明による少なくとも一個の部分構造ユニットを準備する工程、防湿性能をもつ少なくとも一層の遮断層を、覆うべき表面に配置する工程、この遮断層の上に少なくとも一個の部分構造ユニットを配置する工程、及び、少なくとも一個の部分構造ユニットの上に、仕上げ床の少なくとも一枚の床材を配置する工程を備える。
【００２０】
特定の実施形態によると、上記発明による前記方法は下記の特徴のうちいずれか一つ又は組合せを備えることができる。
−前記部分構造ユニットは、前記床システムを施工する場所からの遠隔地において組み立てられたプレハブの部分構造ユニットであること、
−前記方法はさらに、該部分構造ユニットの、第一のパネルの組のパネルの下に弾性手段を組み込む工程を備えること、及び
−前記方法はさらに、少なくとも一個の部分構造ユニットを配置する前に、覆うべき表面又は前記遮断層の上に、荷重低減緩衝バリアを配置する工程を備えること。
【図面の簡単な説明】
【００２１】
【図１】図１は本発明による部分構造ユニットを概略的に表している。
【図２】図２は本発明による部分構造ユニットで用いられるパネルの第一の形態を概略的に表している。
【図３】図３は本発明による部分構造ユニットで用いられるパネルの第二の形態を概略的に表している。
【図４】図４は本発明による部分構造ユニットで用いられるパネルの第三の形態を概略的に表している。
【図５】図５は本発明による部分構造ユニットの詳細図を概略的に表している。
【図６】図６は本発明による部分構造ユニットの斜視図を表している。
【図７】図７は二つの隣接する部分構造ユニットの相互接続の図を表している。
【図８】図８は本発明による床システムの斜視図を表している。
【図９】図９は本発明による床システムの平面図を概略的に表したものであり、この床システムは複数の部分構造ユニットと、複数のパネルを含む仕上げ床とを備えている。
【発明を実施するための形態】
【００２２】
本発明による部分構造ユニット１は二組に構成された複数の平行なパネル３又はラス板を備える。第一の組２は、平行なパネル３の第一層（下層）を形成し、その上に第二層（上層）を形成する平行なパネル３の第二の組４が固定されている。平行なパネル３の二つの組２及び４は十字交差するように配置されることで、重なり合う網状組織又は格子、好ましくは斜め格子を形成する。
【００２３】
この斜め格子形状により、部分構造ユニット１だけでなく、このような部分構造ユニット１を備える床システム１０にも、寸法安定性が備わるという利点がもたらされる。
【００２４】
好ましくは、第一の組２のパネル３は第二の組４のパネル３に対して、約４５度の角度をもって配置される。この配置により、部分構造ユニット１及び床システム１０の寸法安定性がさらに強化される。
【００２５】
第一の組２及び第二の組４のパネル３は、二つの対向する辺、及び二つの対向する端５と６を備える。該パネルは木製、好ましくは軟材、より好ましくは松材で作られ、適切な寸法を備えている。好ましくは、パネル３は、０．７５インチ（１．９ｃｍ）から１インチ（２．５ｃｍ）の厚さと、５インチ（１２．７ｃｍ）から６インチ（１５．２４ｃｍ）の幅であり、長さは２２インチ（５５．９ｃｍ）から６８インチ（１７２．７ｃｍ）である。
【００２６】
パネル３の二つの対向する端５と６は、斜角の切断部を有し（図２乃至４）、この切断部は対向方向に位置する。そのため、パネル３の一側面は他の側面よりも長くなっている。好ましくは、該端５と６は、約４５度の角度で切断されている。
【００２７】
パネル３のあるものは矢型切断部を有する端部５又は端部６を備えている（図３）。パネル３の他のあるものは、それぞれ矢型切断部を有する同形の端部５と６を備えている（図４）。
【００２８】
第一の組２及び第二の組４の平行なパネル３は、少なくとも一本のねじ７、好ましくは二本のねじ、より好ましくは木製のねじによって固定されている。該ねじは、第一及び第二のパネルの組２、４の、二枚のパネル３の間の近接して並べられた部分又は重複する部分毎に設けられている（図５）。ねじを使用することで、パネルを他のパネルの上に重ねて接合する際に通常用いられる釘と比較して、部分構造ユニット１の安定性が強化されるという利点がもたらされる。
【００２９】
このような固定手段を用いることにより、出荷の際や、覆うべき表面へ部分構造ユニット１を施工する際でも、パネル３は緩まることがない。実に、各パネル３へのねじ留めは大変堅牢であり、部分構造ユニット１はその完全性を損ねることなく、出荷、取り扱い、施工が可能となり、それゆえ床システムの完全性をも損ねることがない。さらに、パネル３の重なり合う各部分を二箇所ねじ留めすることにより、より強固で、より堅牢なユニット及びシステムを提供する。
【００３０】
好ましくは、平行なパネル３の間の間隙はパネル３の組の間では同一であり、二つの組２及び４のパネル３の間でもまた同一とすることができる。好ましい実施形態では、パネル３の間の間隙は２インチ（５ｃｍ）から３インチ（７．６２ｃｍ）であり、好ましくは、間隙は２インチ（５ｃｍ）である。
【００３１】
好ましい実施形態では、第一の組２（下層）の二枚のパネル３の間隙は、第二の組４（上層）の二枚のパネル３の間隙よりも広くなっている。例えば、第二の組４の間隙は約２インチ（５ｃｍ）であり、第一の組２の間隙は約６インチ（１５．２４ｃｍ）である。
【００３２】
部分構造ユニット１はさらに、少なくとも二個の部分構造ユニット１を接続する連結手段を備える。
【００３３】
好ましい実施形態では、この連結手段は、部分構造ユニット１の少なくとも一側縁から、好ましくは二つの対向する側縁から、より好ましくは３つの側縁から、さらにより好ましくは４つの側縁から、外側に向かって延びるパネル３の対向する端部５と６によって形成される。このような連結手段を得るために、第一の組２のパネル３は、第二の組４のパネル３からずらした位置にある（図１、６、８）。パネル３は、パネル３の組の斜角の切断端部５又は６が、部分構造ユニット１の一つの側縁で同じ方向に向くように配置されている。部分構造ユニット１の二つの近接する側縁によって共有される第一の組２又は第二の組４のパネル３は、矢型切断部を有する少なくとも一つの端部６を備える（図３）。
【００３４】
第一の部分構造ユニット１の連結手段は、近接する第二の部分構造ユニット１の相互接続手段と協働するものである。
【００３５】
前述の好ましい実施形態では、第一の組２のパネル３の斜角の切断端部５及び６は、近接する部分構造ユニット１の第二の組４の斜角の切断端部５及び６と協働し、フィンガージョイント接合部を形成している（図７）。一個の部分構造ユニット１のパネル３の端部５又は６は、第二の部分構造ユニット１のパネル３の端部５又は６と重なり合うことで、寸法安定性に優れた部分構造を提供する。さらに、複数の部分構造ユニット１の間で、そのようなフィンガージョイント接合部を用いることで、床システム１０はその表面全体に亘って、同様の寸法安定性を備えるものと思われる。
【００３６】
好ましくは、二個の部分構造ユニット１の間のフィンガージョイント接合部は、０．２５インチ（０．６３５ｃｍ）以下の差異の構造許容範囲を備えている。
【００３７】
部分構造ユニット１は、任意の適切な形状、例えば、正方形、長方形、又は多角形の形状である。部分構造ユニット１が正方形又は長方形である実施形態では、長いパネル３は部分構造ユニット１の中心部に配置され、短いパネル３は部分構造ユニット１の端部に配置される。
【００３８】
部分構造ユニット１は、任意の適切な寸法をもつ。好ましくは、長さが４８インチ（１．２２ｍ）から９６インチ（２．４４ｍ）である。
【００３９】
好ましい実施形態では、部分構造ユニット１は８フィート（２．４４ｍ）の長さと、４フィート（１．２２ｍ）の幅である。
【００４０】
部分構造ユニット１はさらに弾性手段を備える。
【００４１】
好ましくは、この弾性手段は第一の組２のパネル３の下に設けられ、覆うべき表面と接するためのものである。
【００４２】
この弾性手段は、好ましくは、任意の適切な等級、硬さ、厚さ、幅をもつ緩衝発砲材を備え、任意の適切な素材、例えばウレタンなどで作成されている。
【００４３】
本発明による部分構造ユニット１は好ましくは、床システム１０を施工する場所からの遠隔地において製造された、プレハブユニットである。部分構造ユニット１は、それゆえ床システム１０を施工する前に、プレハブ製造されるという利点を提供する。この床システム１０はそれゆえ施工がより容易となり、施工を行うのに必要な時間が大幅に短縮できる。さらに、この床システム１０は部分構造ユニット１、ひいては床システムが、施工する場所の条件に適合することをより確実なものとする。
【００４４】
床システム１０を施工する場所において、一個の部分構造ユニット１は、覆うべき表面又は遮断層８の上に置かれる。
【００４５】
遮断層８が設けられる場合は、該層は、防湿性を備える任意の適切な層である。好ましくは、この遮断層８は、０．２５インチ（０．６３５ｃｍ）又は０．５インチ（１．２７ｃｍ）の、高密度高品質の発泡材、又は０．５インチ（１．２７ｃｍ）、６ポンドの真密度の再結合発砲ウレタンである。
【００４６】
この遮断層８の厚さ、密度、及び構造は、床システム１０を受け入れる施設の必要に応じて変更可能である。
【００４７】
第一の部分構造ユニット１は、各部分構造ユニット１の連結手段を用いて、少なくとも別の近接する部分構造ユニット１に接続されており、この連結手段は他の連結手段に対して相補的な関係をもっている。
【００４８】
複数の相互接続された部分構造ユニット１は、平坦で、連続的、かつ移動可能な構造を形成している。
【００４９】
本発明による床システムは、少なくとも一個の部分構造ユニット１、好ましくは複数の相互接続された部分構造ユニット１と仕上げ床９を備える（図８及び９）。
【００５０】
部分構造ユニット１を用いることにより、床システム１０に通気性と弾力性が備わる。
【００５１】
仕上げ床９は、任意の適切な仕上げ床である。好ましくは、仕上げ床９は、木製の、帯材、プランク、ラス板と一般に呼ばれるタイプの床材を備える（図８）。ラス板は少なくとも一個の部分構造ユニット１の上に置かれ、平行なパターンに配列され、かつ部分構造ユニット１の格子によって形成された四辺形の軸のうち一本に対して平行となるように配置されている（図９）。
【００５２】
好ましい実施形態では、仕上げ床は、種々の長さ、１．５インチ（３．８１ｃｍ）又は２．２５インチ（５．７１５ｃｍ）の幅、及び２５／３２インチ（１．９８ｃｍ）から３３／３２インチ（２．６２ｃｍ）の厚さのラス板を備える。
【００５３】
仕上げ床の床材は、任意の適切な手段、例えば凸部及び溝部といった手段を用いて互いに固定されており、各ラス板の一方の側には溝が設けられ、他方の側には凸部が設けられている。仕上げ床の床材は、互いに接着させることも可能である。
【００５４】
仕上げ床の床材は、好ましくは任意の適切な手段により、少なくとも一個の部分構造ユニット１に固定されている。この手段は、好ましくは１．５インチ（３．８１ｃｍ）から２インチ（５．０８ｃｍ）の補強用板材、又は１２インチ（３０．４８ｃｍ）毎に打たれた塗装ステープルである。
【００５５】
仕上げ床９は、スポーツ施設の壁及びその他の垂直の隣接部から間隔を置いて配置され、通気式基礎で縁取られており、この通気式基礎は、好ましくはゴム製、木製、又は金属製の、４インチ（１０．１６ｃｍ）×３インチ（７．６２ｃｍ）の通気式基礎であり、施工された床システムの周囲において、部分構造ユニットの通気を可能にする、任意の適切な形態をとる。
【００５６】
本発明による部分構造ユニット１及び床システム１０は、すべてのスポーツ施設、特にエアロビクスやフィットネス施設に適している。
【００５７】
本発明による床システム１０を施工する方法は、本発明による少なくとも一個の部分構造ユニット１を、覆うべき表面に配置する工程、及び仕上げ床９の少なくとも一枚の床材を配置する工程を備える。
【００５８】
好ましくは、部分構造ユニット１は、床システム１０を施工する場所からの遠隔地において組み立てられたプレハブの部分構造ユニット１である。
【００５９】
この方法はさらに、少なくとも一個の部分構造ユニット１を配置する前に、遮断層８を、覆うべき表面に配置する工程を備えることができる。
【００６０】
この方法はさらに、少なくとも一個の部分構造ユニットを配置する前に、覆うべき表面又は遮断層８の上に、荷重低減緩衝バリアを配置する工程を備えることができる。
【符号の説明】
【００６１】
１  部分構造ユニット
２  第一の組
３  パネル
４  第二の組
５、６  端部
７  ねじ
８  遮断層
９  仕上げ床
１０  床システム
【図１】
2013526662.tif 000003
【図２】
2013526662.tif 000004
【図３】
2013526662.tif 000005
【図４】
2013526662.tif 000006
【図５】
2013526662.tif 000007
【図６】
2013526662.tif 000008
【図７】
2013526662.tif 000009
【図８】
2013526662.tif 000010
【図９】
2013526662.tif 000011
【国際調査報告】
2013526662.tif 000012
2013526662.tif 000013
2013526662.tif 000014